(57)【特許請求の範囲】
【請求項１】
ポケット内部に収容可能な大きさで略Ｕ字状の枠状体と、前記枠状体の内側に配置された滑り止め用の扁平形状の網状体とからなり、前記網状体を、前記ポケット内面を構成する素材より摩擦係数の大きな合成樹脂製の滑り止め材で外周が被覆された線材を縦横に編むことによって形成し、前記枠状体で前記網状体を補強したことを特徴とするポケット収納物脱落防止具。
【発明の詳細な説明】
【０００１】
【発明の属する技術分野】
本発明は、衣服やバッグのポケットに収納した物品が誤って脱落するのを防止するための脱落防止具に関する。
【０００２】
【従来の技術】
日常生活で頻繁に使用する携帯電話、手帳、ペン、タバコ、ライターなどは、上着やシャツのポケットに収納することが多い。これらの物品をポケットに収納している場合、十分に注意しているつもりでも、挨拶などで前屈姿勢をとったり、階段を駆け上がったり、乗り物で移動中に大きな振動や揺動を受けたりしたとき、誤って収納物がポケットから飛び出して脱落し、収納物が損傷したり、紛失したりすることがある。
【０００３】
このようなポケット内収納物の脱落を防止するための手段として、実開昭５６−６０７１６号公報、実開昭６−１０３２１号公報、特開平１１−１２８２９号公報に開示されているものがある。
【０００４】
【発明が解決しようとする課題】
実開昭５６−６０７１６号公報、実開昭６−１０３２１号公報、特開平１１−１２８２９号公報に開示されている手段は、いずれもポケット自体を改良して収納物の脱落を防止するものであるため、既存の衣服やバッグなどのポケットにそのまま採用することができない。
【０００５】
また、このような手段を施したポケットは、通常のポケットに比べ構造が複雑であるため、製作に多くの手間と時間がかかり、製作工程が煩雑化するだけでなく、ポケットへの物品の出し入れも面倒である。
【０００６】
本発明が解決しようとする課題は、既存のポケットに加工を施す必要がなく、使い方が簡単で収納物脱落防止機能に優れ、物品の出し入れもスムーズに行うことができるポケット収納物脱落防止具を提供することにある。
【０００７】
【課題を解決するための手段】
本発明のポケット収納物脱落防止具は、ポケットの内部に収容可能な大きさで略Ｕ字状の枠状体と、前記枠状体の内側に配置された滑り止め用の扁平形状の網状体とからなり、前記網状体を、前記ポケット内面を構成する素材より摩擦係数の大きな合成樹脂製の滑り止め材で外周が被覆された線材を縦横に編むことによって形成し、前記枠状体で前記網状体を補強したことを特徴とする。
【０００８】
このような構成とすることにより、この脱落防止具をポケット内へ挿入し、ポケット内の収納物とポケット内面との間に介在させれば、収納物と脱落防止具の片面との間および脱落防止具の他面とポケット内面との間に、収納物がポケット内面に直接触れたときに生じる摩擦力より大きな摩擦力が発生するため、収納物がポケットから脱落しにくくなり、脱落防止機能を発揮する。また、この脱落防止具はポケット内へ挿入するだけで使用できるので、既存のポケットに加工を施す必要がなく、使い方は簡単であり、物品の出し入れもスムーズに行うことができる。
【００１０】
また、前記網状体を構成する部材としては、合成樹脂製、天然繊維製、金属製などの線材、紐材、管材、帯材などを用いることができ、これらの部材の外面の全部または一部に、天然ゴムや合成ゴムなどのゴム系素材あるいは表面の摩擦係数が比較的大きな合成樹脂などを被覆して形成する。
【００１１】
このような構成とすることにより、前述と同様、この脱落防止具をポケット内へ挿入し、ポケット内の収納物とポケット内面との間に介在させれば、優れた脱落防止機能を発揮する。また、この脱落防止具は、枠状体の内側が網状体であるため、軽量化を図ることができ、ポケット内に挿入したときも通気性が確保され、収納物が汗で吸湿するのを防ぐことができる。
【００１２】
ここで、網状体の目の形状や大きさは、収納物の種類、大きさ、滑り易さ、必要とする通気性レベルなどに応じて定めることが望ましい。また、前記網状体を補強する構造として、枠状体の内側に網状体を配設した構造としている。枠状体の内側に網状体を配設する場合は、網状体の編み方は一般的な格子状、斜め格子状に限らず、平行線状、放射線状、同心円状、渦巻状、その他不規則形状に編んだものとすることができる。
【００１３】
また、枠状体の内側または枠状体の内外にわたって細長部材を並列して配設した簀の子状体として、この簀の子状体を構成する部材の外面の全部または一部に滑り止め層を形成して脱落防止具とすることもできる。簀の子状体を構成する部材としては、前記の網状体用部材と同様なものを用いることができ、これらの部材の外面に滑り止め層を形成する。この場合も、網状体とした場合と同様な脱落防止機能を得ることができる。
【００１４】
さらに、ポケットの内面を構成する素材より摩擦係数の大きな素材を、ポケットの内部に収容可能な大きさの扁平形状に形成したものをもって、本発明のポケット収納物脱落防止具とすることもできる。この脱落防止具の材質としては、天然ゴムや合成ゴムなどのゴム系素材あるいは表面の摩擦係数が比較的大きな合成樹脂などが好適である。この脱落防止具の表面に適当数の凹部を形成すれば、軽量化を図ることが可能であり、両面に貫通した孔やスリットなどを設ければ軽量化とともに通気性を確保することが可能である。このような構成とした場合も、前述と同様、脱落防止具をポケット内へ挿入し、ポケット内収納物とポケット内面との間に介在させれば、優れた収納物脱落防止機能を発揮する。
【００１５】
さらに、上記の脱落防止具に、電磁波を遮蔽または吸収する機能を持たせるようにしてもよい。脱落防止具を構成する本体部の全部または一部の部材を、電磁波を遮蔽または吸収する機能を有する材料、たとえばカーボン質の材料で製作する、あるいは、滑り止め層の材料中に電磁波を遮蔽または吸収する機能を有する材料を混入させるなどすることにより、脱落防止具に電磁波を遮蔽または吸収する機能を持たせることができる。
【００１６】
【発明の実施の形態】
以下、本発明の実施の形態を図面に基づいて説明する。図１は第１実施形態の脱落防止具を示す図で（ａ）は正面図、（ｂ）は（ａ）のＡ−Ａ線断面図、図２は図１の脱落防止具の使用状態を示す正面透視図、図３（ａ）は図２におけるＸ−Ｘ線断面図、（ｂ）はＹ−Ｙ線断面図である。
【００１７】
本実施形態の脱落防止具１０は、図１に示すように、ポケット内に収容可能な扁平形状の合成樹脂製の本体部１１の両面に、ポケット内面を構成する素材より摩擦係数の大きなゴム材で形成された滑り止め部１２が被覆されている。
【００１８】
この脱落防止具１０を使用する場合、図２に示すように、脱落防止具１０を衣服のポケット１３内へ挿入し、ポケット収納物の一つである携帯電話１４とポケット１３内面との間に介在させると、脱落防止具１０の片面の滑り止め部１２と携帯電話１４との間、および脱落防止具１０の他面の滑り止め部１２とポケット１３内面との間に、携帯電話１４がポケット１３内面に直接触れたときに生じる摩擦力より大きな摩擦力が発生するため、挨拶などで前屈姿勢をとったり、階段を駆け上がったり、乗り物で移動中に大きな振動や揺動を受けたりしても、携帯電話１４がポケット１３から離脱することがなく、優れた収納物脱落防止機能を発揮する。
【００１９】
また、ポケット１３内の携帯電話１４は、脱落防止具１０によって身体側寄りの直立状態に保持されるので、必要なときにポケット１３から取出し易くなるほか、着信時のバイブレーションが感知しやすくなる。
【００２０】
このように、脱落防止具１０はポケット１３内へ挿入するだけで使用できるので、既存のポケット１３に加工を施す必要がなく、使い方は簡単であり、携帯電話１４の出し入れもスムーズに行うことができる。本実施形態ではポケット１３の収納物として携帯電話１４を例にして説明しているが、手帳、ペン、タバコ、ライターなどの物品を収納した場合でも同様の脱落防止機能を発揮する。また、脱落防止具１０は、衣服のポケット１３に限らず、カバン、バッグ類のポケットにも使用可能である。
【００２１】
本実施形態では、本体部１１は合成樹脂製であるが、布材、不織布材、紙材、ゴム材、金属材などで形成してもよく、滑り止め部１２はゴム系素材のほか表面の摩擦係数が比較的大きな合成樹脂などが好適である。
【００２２】
次に図４を参照して、第２実施形態の脱落防止具２０について説明する。脱落防止具２０は、ポケット内に収容可能なシート形状の合成樹脂製の本体部２１の両面に、ポケット内面を構成する素材より摩擦係数の大きなゴム材で形成された直線状の滑り止め部２２が並列状態に付設されている。
【００２３】
このような構成とすることにより、前述した脱落防止具１０と同様の機能、効果を発揮するが、複数の滑り止め部２２を並列配置することにより、軽量化を図ることができる。なお、滑り止め部２２の幅や配列間隔は、ポケット収納物の種類などに応じて任意に設定することができる。また、本体部２１、滑り止め部２２の材質については、脱落防止具１０と同様の素材を採用することができる。
【００２４】
次に図５を参照して、第３実施形態の脱落防止具３０について説明する。脱落防止具３０は、ポケット内に収容可能なシート形状の合成樹脂製の本体部３１の両面に、ポケット内面を構成する素材より摩擦係数の大きなゴム材で形成された点状の滑り止め部３２が縦横に多数付設されている。
【００２５】
このような構成とすることにより、前述した脱落防止具１０と同様の機能、効果を発揮するが、点状の滑り止め部３２を付設することにより、脱落防止具２０よりさらに軽量化を図ることができる。なお、滑り止め部３２の外径、配列間隔、配列形態、配列個数などは、ポケット収納物の種類などに応じて任意に設定することができ、本体部３１、滑り止め部３２の材質についても、脱落防止具１０と同様の素材を採用することができる。
【００２６】
次に図６を参照して、第４実施形態の脱落防止具４０について説明する。本実施形態の脱落防止具４０は、ポケット内に収容可能な扁平形状であって、ポケット内面を構成する素材より摩擦係数の大きなゴム材で形成された本体部４１に、多数の貫通孔４２が形成されている。
【００２７】
このような構成とすることにより、前述した脱落防止具１０と同様の機能、効果を発揮するが、ゴム製の本体部４１に貫通孔４２を形成しただけのシンプルな構造であるため、製作が簡単である。また、多数の貫通孔４２を設けることにより、通気性を確保することができるので、ポケット収納物が汗などで吸湿するのを防止できるほか、軽量化を図ることができる。なお、貫通孔４２の内径、配列間隔、配列形態、配列個数などは、ポケット収納物の種類などに応じて任意に設定することができる。
【００２８】
次に図７を参照して、第５実施形態の脱落防止具５０について説明する。脱落防止具５０は、ポケット内に収容可能な枠状体５１の内側に、滑り止め用の網状体５２が配置されている。網状体５２は、ポケット内面を構成する素材より摩擦係数の大きな滑り止め材５３で外周が被覆された線材５４を縦横に編むことによって形成されている。
【００２９】
このような構成とすることにより、前述した脱落防止具１０と同様の機能、効果を発揮するが、枠状体５１の内側に網状体５２を配置した構造であるため、軽量化を図ることができ、ポケット内に挿入したときも通気性が確保され、ポケット収納物が汗で吸湿するのを防ぐことができる。なお、枠状体５１なしの網状体５２のみの構造、あるいは芯材としての線材５４なしの滑り止め材５３のみで形成した網状体を枠状体５１の内側に配置した構造とすることもできる。また、枠状体５１の内側に網状体５２を配置するのでなく、幅狭に形成した枠状体の両側にわたって網状体５２を配置する構造とすることもできる。
【００３０】
次に図８を参照して、第６実施形態の脱落防止具６０について説明する。脱落防止具６０は、ポケット内に収容可能な枠状体６１の内側に、滑り止め用の帯材６２が並列状態に複数配置されている。帯材６２は、帯状芯材６４の外周を、ポケット内面を構成する素材より摩擦係数の大きな滑り止め材６３で被覆することによって形成されている。
【００３１】
このような構成とすることにより、前述した脱落防止具１０と同様の機能、効果を発揮するが、枠状体６１の内側に複数の帯材６２を並列配置した構造であるため、軽量化を図ることができ、ポケット内に挿入したときも通気性が確保され、ポケット収納物が汗で吸湿するのを防ぐことができる。
【００３２】
【発明の効果】
本発明により、以下に示す効果を奏する。
【００３３】
（１）ポケットの内部に収容可能な大きさで略Ｕ字状の枠状体と、前記枠状体の内側に配置された滑り止め用の扁平形状の網状体とからなり、前記網状体を、前記ポケット内面を構成する素材より摩擦係数の大きな合成樹脂製の滑り止め材で外周が被覆された線材を縦横に編むことによって形成し、前記枠状体で前記網状体を補強して脱落防止具とすることにより、この脱落防止具をポケット内へ挿入し、ポケット内の収納物とポケット内面との間に介在させれば、収納物と脱落防止具の片面との間および脱落防止具の他面とポケット内面との間に、収納物がポケット内面に直接触れたときに生じる摩擦力より大きな摩擦力が発生するため、収納物がポケットから脱落しにくくなり、脱落防止機能を発揮する。この脱落防止具はポケット内へ挿入するだけで使用できるので、既存のポケットに加工を施す必要がなく、使い方は簡単であり、物品の出し入れもスムーズに行うことができる。
【００３４】
（２）この脱落防止具は、枠状体の内側が網状体であるため、軽量化を図ることができ、ポケット内に挿入したときも通気性が確保され、収納物が汗で吸湿するのを防ぐことができる。
【図面の簡単な説明】
【図１】  （ａ）は第１実施形態の脱落防止具を示す正面図、（ｂ）は（ａ）のＡ−Ａ線断面図である。
【図２】  図１の脱落防止具の使用状態を示す正面透視図である。
【図３】  （ａ）は図２のＸ−Ｘ線断面図、（ｂ）は図２のＹ−Ｙ線断面図である。
【図４】  （ａ）は第２実施形態の脱落防止具を示す正面図、（ｂ）は（ａ）のＢ−Ｂ線断面図である。
【図５】  （ａ）は第３実施形態の脱落防止具を示す正面図、（ｂ）は（ａ）のＣ−Ｃ線断面図である。
【図６】  （ａ）は第４実施形態の脱落防止具を示す正面図、（ｂ）は（ａ）のＤ−Ｄ線断面図である。
【図７】  （ａ）は第５実施形態の脱落防止具を示す正面図、（ｂ）は（ａ）のＥ−Ｅ線断面図、（ｃ）は（ａ）の部分拡大図である。
【図８】  （ａ）は第６実施形態の脱落防止具を示す正面図、（ｂ）は（ａ）のＦ−Ｆ線断面図、（ｃ）は（ａ）の部分拡大図である。
【符号の説明】
１０，２０，３０，４０，５０，６０  脱落防止具
１１，２１，３１，４１  本体部
１２，２２，３２  滑り止め部
１３  ポケット
１４  携帯電話
４２  貫通孔
５１，６１  枠状体
５２  網状体
５３，６３  滑り止め材
５４  線材
６２  帯材
６４  帯状芯材
【図１】
0003758943.tif 000002
【図２】
0003758943.tif 000003
【図３】
0003758943.tif 000004
【図４】
0003758943.tif 000005
【図５】
0003758943.tif 000006
【図６】
0003758943.tif 000007
【図７】
0003758943.tif 000008
【図８】
0003758943.tif 000009